(57)【要約】【課題】ユーザが簡単に情報を投稿することができるコンテンツサーバ装置、コンテンツ提供装置、コンテンツ提供システム、コンテンツ提供方法、及びコンテンツ提供プログラムを提供する。【解決手段】コンテンツサーバ装置は、候補からの選択の履歴を含む履歴情報を記憶する記憶部と、コンテンツを示す情報と、履歴情報と、を提供し、提供した履歴情報に基づく選択により定まる情報をさらに提供する提供部と、を備える。記憶部は、遠隔操作を実行する操作装置を介した操作入力に基づく、候補からの選択を示す信号に基づいて、履歴情報を記憶してもよい。【選択図】図１
2014206912.tif 000002
【特許請求の範囲】
【請求項１】
候補からの選択の履歴を含む履歴情報を記憶する記憶部と、
コンテンツを示す情報と、前記履歴情報と、を提供し、提供した前記履歴情報に基づく選択により定まる情報をさらに提供する提供部と、
を備えることを特徴とするコンテンツサーバ装置。
【請求項２】
前記記憶部は、遠隔操作を実行する操作装置を介した操作入力に基づく、前記候補からの選択を示す信号に基づいて、前記履歴情報を記憶することを特徴とする請求項１に記載のコンテンツサーバ装置。
【請求項３】
前記記憶部は、前記履歴情報に基づく選択の履歴を、前記履歴情報に含めて記憶することを特徴とする請求項１又は請求項２に記載のコンテンツサーバ装置。
【請求項４】
前記提供部は、前記履歴情報に基づく選択により定まる画像情報を提供することを特徴とする請求項１から請求項３のいずれか一項に記載のコンテンツサーバ装置。
【請求項５】
候補からの選択の履歴を含む履歴情報を記憶する記憶部と、コンテンツを示す情報と、前記履歴情報と、を提供し、提供した前記履歴情報に基づく選択により定まる情報をさらに提供する提供部と、を有するコンテンツサーバ装置から、前記コンテンツを示す情報と、前記履歴情報と、前記履歴情報に基づく選択により定まる情報と、を受信する通信部と、
受信した前記コンテンツを示す情報と、受信した前記履歴情報と、受信した前記履歴情報に基づく選択により定まる情報と、を提供するコンテンツ提供部と、
を備えることを特徴とするコンテンツ提供装置。
【請求項６】
候補からの選択の履歴を含む履歴情報を記憶する記憶部と、
コンテンツを示す情報と、前記履歴情報と、を提供し、提供した前記履歴情報に基づく選択により定まる情報をさらに提供する提供部と、
前記コンテンツを示す情報と、前記履歴情報と、前記履歴情報に基づく選択により定まる情報と、を受信する通信部と、
受信した前記コンテンツを示す情報と、受信した前記履歴情報と、受信した前記履歴情報に基づく選択により定まる情報と、を提供するコンテンツ提供部と、
を備えることを特徴とするコンテンツ提供システム。
【請求項７】
コンテンツサーバ装置におけるコンテンツ提供方法であって、
提供部が、コンテンツを示す情報と、候補からの選択の履歴を含む履歴情報と、を提供し、提供した前記履歴情報に基づく選択により定まる情報をさらに提供するステップ、
を有することを特徴とするコンテンツ提供方法。
【請求項８】
コンテンツサーバ装置のコンピュータに、
コンテンツを示す情報と、候補からの選択の履歴を含む履歴情報と、を提供し、提供した前記履歴情報に基づく選択により定まる情報をさらに提供する手順、
を実行させるためのコンテンツ提供プログラム。
【発明の詳細な説明】
【技術分野】
【０００１】
本発明は、コンテンツサーバ装置、コンテンツ提供装置、コンテンツ提供システム、コンテンツ提供方法、及びコンテンツ提供プログラムに関する。
【背景技術】
【０００２】
キーバリュー型のデータベースにおいて記憶される投稿情報のうち、特定種類の情報や当該特定種類の情報に基づく投稿情報を容易に検索可能とすることを目的とした装置が、特許文献１に開示されている。
【先行技術文献】
【特許文献】
【０００３】
【特許文献１】特開２０１２−１４６０５８号公報
【発明の概要】
【発明が解決しようとする課題】
【０００４】
しかしながら、特許文献１に開示された装置は、サーバ装置に情報を投稿するための操作が複雑であり、ユーザが簡単には情報を投稿することができない、という問題がある。
【０００５】
本発明は、前記の点に鑑みてなされたものであり、ユーザが簡単に情報を投稿することができるコンテンツサーバ装置、コンテンツ提供装置、コンテンツ提供システム、コンテンツ提供方法、及びコンテンツ提供プログラムを提供することを目的とする。
【課題を解決するための手段】
【０００６】
本発明の一態様は、候補からの選択の履歴を含む履歴情報を記憶する記憶部と、コンテンツを示す情報と、前記履歴情報と、を提供し、提供した前記履歴情報に基づく選択により定まる情報をさらに提供する提供部と、を備えることを特徴とするコンテンツサーバ装置である。
【０００７】
また、本発明の一態様は、前記記憶部が、遠隔操作を実行する操作装置を介した操作入力に基づく、前記候補からの選択を示す信号に基づいて、前記履歴情報を記憶することを特徴とするコンテンツサーバ装置である。
【０００８】
また、本発明の一態様は、前記記憶部が、前記履歴情報に基づく選択の履歴を、前記履歴情報に含めて記憶することを特徴とするコンテンツサーバ装置である。
【０００９】
また、本発明の一態様は、前記提供部が、前記履歴情報に基づく選択により定まる画像情報を提供することを特徴とするコンテンツサーバ装置である。
【００１０】
また、本発明の一態様は、候補からの選択の履歴を含む履歴情報を記憶する記憶部と、コンテンツを示す情報と、前記履歴情報と、を提供し、提供した前記履歴情報に基づく選択により定まる情報をさらに提供する提供部と、を有するコンテンツサーバ装置から、前記コンテンツを示す情報と、前記履歴情報と、前記履歴情報に基づく選択により定まる情報と、を受信する通信部と、受信した前記コンテンツを示す情報と、受信した前記履歴情報と、受信した前記履歴情報に基づく選択により定まる情報と、を提供するコンテンツ提供部と、を備えることを特徴とするコンテンツ提供装置である。
【００１１】
また、本発明の一態様は、候補からの選択の履歴を含む履歴情報を記憶する記憶部と、コンテンツを示す情報と、前記履歴情報と、を提供し、提供した前記履歴情報に基づく選択により定まる情報をさらに提供する提供部と、前記コンテンツを示す情報と、前記履歴情報と、前記履歴情報に基づく選択により定まる情報と、を受信する通信部と、受信した前記コンテンツを示す情報と、受信した前記履歴情報と、受信した前記履歴情報に基づく選択により定まる情報と、を提供するコンテンツ提供部と、を備えることを特徴とするコンテンツ提供システムである。
【００１２】
また、本発明の一態様は、コンテンツサーバ装置におけるコンテンツ提供方法であって、提供部が、コンテンツを示す情報と、候補からの選択の履歴を含む履歴情報と、を提供し、提供した前記履歴情報に基づく選択により定まる情報をさらに提供するステップ、を有することを特徴とするコンテンツ提供方法である。
【００１３】
また、本発明の一態様は、コンテンツサーバ装置のコンピュータに、コンテンツを示す情報と、候補からの選択の履歴を含む履歴情報と、を提供し、提供した前記履歴情報に基づく選択により定まる情報をさらに提供する手順、を実行させるためのコンテンツ提供プログラムである。
【発明の効果】
【００１４】
本発明によれば、提供部は、コンテンツを示す情報と、候補からの選択の履歴を含む履歴情報と、を提供し、提供した履歴情報に基づく選択により定まる情報をさらに提供する。つまり、ユーザには、候補からの選択の履歴を含む履歴情報が提供される。これにより、コンテンツサーバ装置、コンテンツ提供装置、コンテンツ提供システム、コンテンツ提供方法、及びコンテンツ提供プログラムは、ユーザが簡単に情報を投稿することができる。
【図面の簡単な説明】
【００１５】
【図１】本発明の一実施形態における、コンテンツ提供システムの構成例を示すブロック図である。
【図２】本発明の一実施形態における、作品紹介画像からの画像の遷移例を示す図である。
【図３】本発明の一実施形態における、ポップアップ画像の例を示す図である。
【図４】本発明の一実施形態における、コンテクストメニュー画像の例を示す図である。
【図５】本発明の一実施形態における、ソーシャルモード画像の例を示す図である。
【図６】本発明の一実施形態における、アイコン画像を選択するためのアイコン選択画像の例を示す図である。
【図７】本発明の一実施形態における、ソーシャルモード画像の遷移例を示す図である。
【図８】本発明の一実施形態における、履歴情報に履歴が無い場合のスタンプ履歴選択画像の例を示す図である。
【図９】本発明の一実施形態における、スタンプを選択するためのスタンプ選択画像の例を示す図である。
【図１０】本発明の一実施形態における、履歴情報に履歴が一つある場合のスタンプ履歴選択画像の例を示す図である。
【図１１】本発明の一実施形態における、履歴情報に履歴が複数ある場合のスタンプ履歴選択画像の例を示す図である。
【図１２】本発明の一実施形態における、コンテンツサーバ装置の動作手順例を示すフローチャートである。
【発明を実施するための形態】
【００１６】
本発明の一実施形態について図面を参照して詳細に説明する。図１には、コンテンツ提供システムの構成例が、ブロック図により示されている。コンテンツ提供システム６００は、ソーシャル・ビデオオンデマンド（Ｓｏｃｉａｌ  ＶＯＤ：Ｓｏｃｉａｌ  Ｖｉｄｅｏ Ｏｎ Ｄｅｍａｎｄ）のサービスとして、コンテンツ（例えば、動画コンテンツ、音楽コンテンツ）を提供する。また、コンテンツ提供システム６００は、ユーザがスタンプ画像を簡単に選択することができるように、提供されているコンテンツに対してユーザが以前に選択（投稿）したスタンプ画像の履歴情報を提供する。
【００１７】
これにより、コンテンツ提供システム６００は、ユーザが簡単に情報を投稿することができる。また、コンテンツ提供システム６００は、ユーザがコンテンツのソーシャル視聴に簡単に参加することができる。また、コンテンツ提供システム６００は、同じソーシャルに属する他のユーザと一緒にコンテンツを視聴しているかのような臨場感及び一体感を、ユーザに演出することができる。
【００１８】
コンテンツ提供システム６００は、操作装置１０と、コンテンツ提供装置３０と、表示装置４０と、中継装置２０と、コンテンツサーバ装置２００と、電子機器３００とを備える。ここで、操作装置１０、中継装置２０、コンテンツ提供装置３０、及び、表示装置４０は、同一の宅内１００に備えられてもよい。
【００１９】
まず、操作装置１０及びコンテンツ提供装置３０の構成例について説明する。
操作装置１０は、コンテンツ提供装置３０を遠隔操作（リモートコントロール）する装置である。操作装置１０は、操作部１１と、通信部１２とを備える。
【００２０】
操作部１１は、ユーザによる操作入力を受け付け、操作入力に応じた情報を通信部１２に出力する。操作部１１は、操作入力を受け付けるための操作手段、例えば、再生ボタン、停止ボタン、正方向早送り再生ボタン、逆方向早送り再生ボタン、正方向スキップ再生ボタン、逆方向スキップ再生ボタン、決定ボタン、戻るボタン、メニューボタン、赤ボタン（赤色のボタン）、青ボタン（青色のボタン）、及び、方向ボタン（上ボタン、下ボタン、左ボタン、右ボタン）を備える。
【００２１】
ユーザは、操作装置１０の方向ボタンを操作することにより、表示装置４０の画面に表示されたカーソルを、移動させることができる。また、ユーザは、操作装置１０を操作することにより、コンテンツ提供装置３０を介してコンテンツサーバ装置２００に、スタンプを示す識別情報を投稿することができる。例えば、ユーザは、操作装置１０を操作することにより、文字列を表示する吹き出し型スタンプを示す識別情報を投稿することができる。また、ユーザは、操作装置１０を操作することにより、自らを示すアイコン画像（例えば、顔が描かれた画像）を選択することができる。
【００２２】
通信部１２は、操作入力に応じた情報を、コンテンツ提供装置３０に送信する。例えば、通信部１２は、操作入力に応じた情報として、選択を示す信号を送信してもよい。通信部１２は、操作入力に応じた情報を、所定の通信規格（例えば、赤外線を用いる通信規格）により送信する。
【００２３】
コンテンツ提供装置３０（セットトップボックス）（ＳＴＢ：Ｓｅｔ Ｔｏｐ Ｂｏｘ）は、通信部３１と、コンテンツ提供部３２と、記憶部３３とを備える。通信部３１は、操作入力に応じた情報を、操作装置１０の通信部１２から受信する。通信部３１は、操作入力に応じた情報を、コンテンツ提供部３２に転送する。
【００２４】
通信部３１には、コンテンツの内容を示す情報と、候補からの選択の履歴を含む履歴情報と、履歴情報に基づく選択により定まる情報とが、通信回線４００及び中継装置２０を介して、コンテンツサーバ装置２００から入力される。候補からの選択の履歴を含む履歴情報は、例えば、複数のスタンプ画像（候補）からユーザが選択したスタンプ画像の履歴を含む履歴情報である。また、履歴情報に基づく選択により定まる情報は、例えば、履歴情報からユーザが再選択（再投稿）したスタンプ画像情報である。
【００２５】
通信部３１には、コンテンツ提供部３２から、所定の情報が入力される。通信部３１は、入力された当該所定の情報を、中継装置２０を介してコンテンツサーバ装置２００に送信する。当該所定の情報は、例えば、スタンプを示す識別情報、コンテンツの送信を要求するための送信要求情報、及び、コンテンツ提供装置３０を示す識別情報である。また、通信部３１は、操作装置１０を介した操作入力に応じた情報を、コンテンツ提供部３２による制御に応じて、中継装置２０を介してコンテンツサーバ装置２００に送信してもよい。
【００２６】
記憶部３３は、各種の情報を記憶する。当該各種の情報は、例えば、スタンプ画像情報、アイコン画像情報、テキスト情報、及び、プログラム情報である。記憶部３３は、コンテンツ提供部３２から要求された情報を、コンテンツ提供部３２に出力する。
【００２７】
コンテンツ提供部３２には、当該各種の情報が、記憶部３３から入力される。コンテンツ提供部３２は、記憶部３３に記憶されたプログラム情報に基づいて、動作してもよい。コンテンツ提供部３２には、通信部３１により受信されたコンテンツの内容を示す情報、スタンプ画像情報、アイコン画像情報、及び、電子機器３００のユーザが投稿したコメントを示すテキスト情報に基づくコメント画像情報が、通信部３１から入力される。コンテンツ提供部３２は、コンテンツの内容（例えば、動画コンテンツの内容）、スタンプ画像、アイコン画像、及び、電子機器３００のユーザが投稿したコメントを示すテキスト情報に基づくコメント画像を、表示装置４０に表示させる。これらの表示の詳細については、図５を用いて後述する。
【００２８】
表示装置４０（提示装置）は、コンテンツ提供部３２による制御に基づいて、コンテンツの内容に応じた画像、スタンプ画像（例えば、吹き出し型スタンプ画像）、アイコン画像、及び、電子機器３００のユーザが投稿したコメントを示すテキスト情報に基づくコメント画像を、画面に表示する。また、表示装置４０は、スピーカを有していてもよい。表示装置４０は、コンテンツの内容に応じた音を、スピーカから出力してもよい。
【００２９】
中継装置２０（アクセスポイント）は、コンテンツ提供装置３０の通信部３１と、コンテンツサーバ装置２００との間の通信を、通信回線４００を介して中継する。ここで、中継装置２０は、有線又は無線の通信規格により通信を中継してもよい。
【００３０】
電子機器３００は、宅内１００とは異なる宅内（例えば、コンテンツ提供装置３０のユーザと同じソーシャルに属する他のユーザの宅内）に備えられてもよい。また、電子機器３００の構成は、操作装置１０、中継装置２０、コンテンツ提供装置３０、及び、表示装置４０と同じ構成を含んでいてもよい。電子機器３００は、通信回線４００を介して、コンテンツサーバ装置２００と通信する。例えば、電子機器３００は、通信回線４００を介してコンテンツサーバ装置２００に、スタンプ画像を示す識別情報、及び、コメントを示すテキスト情報を投稿する。なお、電子機器３００は、複数でもよい。
【００３１】
次に、表示装置４０に表示される画像の遷移例について説明する。
図２には、作品紹介画像からの画像の遷移例が示されている。作品紹介画像は、動画コンテンツを紹介するための画像である。コンテンツサーバ装置２００は、操作入力に応じた情報に基づいて表示装置４０に表示される画像が遷移するよう、コンテンツの内容を示す情報を生成する。コンテンツ提供部３２は、コンテンツサーバ装置２００により生成されたコンテンツの内容を示す情報に基づいて、表示装置４０に画像を表示させる。
【００３２】
具体的には、作品紹介画像１０００には、キー画像の一つとして、視聴キーが表示されている。作品紹介画像１０００が表示されている状態で、視聴キーが押下された場合、コンテンツ提供部３２は、ポップアップ画像１１００を、表示装置４０に表示させる。
【００３３】
図３には、ポップアップ画像の例が示されている。ポップアップ画像１１００には、操作を案内するための文字列を示す画像「ソーシャル視聴確認  本作品はソーシャル視聴に対応しています。再生モードを選択してください。」が表示されている。また、ポップアップ画像１１００には、再生モードを選択させるためのキー画像として、ソーシャル視聴キー画像１１１０と、通常視聴キー画像１１２０とが表示されている。
【００３４】
図２に戻り、画像の遷移例の説明を続ける。ポップアップ画像１１００が表示されている状態で、通常視聴キー画像１１２０が押下された場合、コンテンツ提供部３２は、通常視聴画像１２００（ビデオスクリーン）、すなわち、受信したコンテンツの内容が示す動画コンテンツを、全画面で表示装置４０に表示させる。一方、ポップアップ画像１１００が表示されている状態で、ソーシャル視聴キー画像１１１０が押下された場合、コンテンツ提供部３２は、ソーシャルモード画像１４００を、表示装置４０に表示させる。
【００３５】
通常視聴画像１２００が表示されている状態で、メニューボタンが押下された場合、コンテンツ提供部３２は、コンテクストメニュー画像１３００を、表示装置４０に表示させる。一方、通常視聴画像１２００が表示されている状態で、赤ボタンが押下された場合、コンテンツ提供部３２は、ソーシャルモード画像１４００を、表示装置４０に表示させる。ソーシャルモード画像１４００の詳細については、図５〜図１１を用いて後述する。
【００３６】
図４には、コンテクストメニュー画像の例が示されている。コンテクストメニュー画像１３００には、ソーシャルモード画像を表示させるためのソーシャルモードキー画像１３１０が、コンテクストメニューの一つとして表示されている。
【００３７】
図２に戻り、画像の遷移例の説明を続ける。コンテクストメニュー画像１３００が表示されている状態で、ソーシャルモードキー画像１３１０が押下された場合、コンテンツ提供部３２は、ソーシャルモード画像１４００を、表示装置４０に表示させる。
【００３８】
図５には、ソーシャルモード画像の例が示されている。ソーシャルモード画像１４００には、その一部（図５では、一例として、左上）に、コンテンツの内容に応じた動画が表示されている。また、ソーシャルモード画像１４００には、アイコン選択キー画像１４１１と、アイコン選択領域１４１２と、スタンプ選択キー画像１４１３と、スタンプ履歴選択キー画像１４１４と、吹き出し型スタンプ選択キー画像１４１５とが表示されている。吹き出し型スタンプ選択キー画像１４１５は、文字列を表示する吹き出し型スタンプ画像の候補を表示させるためのキー画像である。また、ソーシャルモード画像１４００には、下キー画像１４２１と、上キー画像１４３１とが表示されている。
【００３９】
また、図５では、ソーシャルモード画像１４００には、アイコン画像２０００、アイコン画像２１００、アイコン画像２２００、スタンプ画像３０００、スタンプ画像３１００、及び、コメント画像４０００が、タイムライン表示領域に、タイムラインに従って表示されている。
【００４０】
ここで、スタンプ画像３０００、スタンプ画像３１００、及び、コメント画像４０００は、電子機器３００のユーザによって、コンテンツサーバ装置２００（図１を参照）に投稿された画像である。また、スタンプ画像３０００、スタンプ画像３１００、及び、コメント画像４０００は、コンテンツ提供装置３０のユーザによって、コンテンツサーバ装置２００に投稿された画像でもよい。
【００４１】
図２に戻り、画像の遷移例の説明を続ける。ソーシャルモード画像１４００が表示されている状態で、赤ボタンが押下された場合、コンテンツ提供部３２は、通常視聴画像１２００を、表示装置４０に表示させる。また、ソーシャルモード画像１４００が表示されている状態で、メニューボタンが押下された場合、コンテンツ提供部３２は、コンテクストメニュー画像１３００を、表示装置４０に表示させる。また、ソーシャルモード画像１４００が表示されている状態で、停止ボタン又は戻るボタンが押下された場合、コンテンツ提供部３２は、作品紹介画像１０００を、表示装置４０に表示させる。
【００４２】
ソーシャルモード画像１４００が表示されている状態で、カーソルがアイコン選択キー画像１４１１に合わされ、決定ボタンが押下された場合、コンテンツ提供部３２は、ソーシャルモード画像の一形態としてのアイコン選択画像１４１０を、表示装置４０に表示させる。
【００４３】
図６には、アイコン画像を選択するためのアイコン選択画像の例が示されている。アイコン選択画像１４１０には、コンテンツの内容に応じた動画が表示されている。アイコン選択画像１４１０には、アイコン選択キー画像１４１１が、フォーカス表示されている。また、アイコン選択画像１４１０には、アイコン選択領域１４１２と、スタンプ選択キー画像１４１３と、スタンプ履歴選択キー画像１４１４と、吹き出し型スタンプ選択キー画像１４１５とが表示されている。また、アイコン選択領域１４１２には、複数のアイコン画像が選択可能に表示されている。
【００４４】
図２に戻り、画像の遷移例の説明を続ける。ソーシャルモード画像１４００が表示されている状態で、下ボタンが押下された場合、コンテンツ提供部３２は、ソーシャルモード画像の一形態としての下キー・フォーカス画像１４２０を、表示装置４０に表示させる。下キー・フォーカス画像１４２０では、下キー画像１４２１（例えば、図５を参照）が、フォーカス表示される。
【００４５】
下キー・フォーカス画像１４２０が表示されている状態で、上ボタンが押下された場合、コンテンツ提供部３２は、ソーシャルモード画像１４００を、表示装置４０に表示させる。また、下キー・フォーカス画像１４２０が表示されている状態で、右ボタンが押下された場合、コンテンツ提供部３２は、上キー・フォーカス画像１４３０を、表示装置４０に表示させる。上キー・フォーカス画像１４３０では、上キー画像１４３１（例えば、図５を参照）が、フォーカス表示される。また、下キー・フォーカス画像１４２０が表示されている状態で、停止ボタン又は戻るボタンが押下された場合、コンテンツ提供部３２は、作品紹介画像１０００を、表示装置４０に表示させる。
【００４６】
上キー・フォーカス画像１４３０が表示されている状態で、左ボタンが押下された場合、コンテンツ提供部３２は、下キー・フォーカス画像１４２０を、表示装置４０に表示させる。また、上キー・フォーカス画像１４３０が表示されている状態で、停止ボタン又は戻るボタンが押下された場合、コンテンツ提供部３２は、作品紹介画像１０００を、表示装置４０に表示させる。
【００４７】
アイコン選択画像１４１０が表示されている状態で、カーソルがアイコン選択キー画像１４１１に合わされ、決定ボタンが押下された場合、又は、カーソルがアイコン選択領域１４１２のアイコン画像（例えば、図６を参照）に合わされ、決定ボタンが押下された場合、コンテンツ提供部３２は、ソーシャルモード画像１４００を、表示装置４０に表示させる。また、アイコン選択画像１４１０が表示されている状態で、停止ボタン又は戻るボタンが押下された場合、コンテンツ提供部３２は、作品紹介画像１０００を、表示装置４０に表示させる。
【００４８】
図７には、ソーシャルモード画像の遷移例が示されている。ソーシャルモード画像１４００−１が表示されている状態で、カーソルがアイコン選択キー画像１４１１（例えば、図５を参照）に合わされ、決定ボタンが押下された場合、コンテンツ提供部３２は、アイコン選択画像１４１０−１を、表示装置４０に表示させる。
【００４９】
ソーシャルモード画像１４００−１が表示されている状態で、カーソルがアイコン選択キー画像１４１１（例えば、図５を参照）に合わされ、決定ボタンが押下された場合、コンテンツ提供部３２は、アイコン選択画像１４１０を、表示装置４０に表示させる。
【００５０】
ソーシャルモード画像１４００−１が表示されている状態で、カーソルがスタンプ選択キー画像１４１３（例えば、図５を参照）に合わされ、決定ボタンが押下された場合、コンテンツ提供部３２は、アイコン画像が未選択であるか否かを判定する。アイコン画像が未選択である場合（Ｙｅｓ）、コンテンツ提供部３２は、アイコン選択画像１４１０−２を、表示装置４０に表示させる。一方、アイコン画像が未選択でない場合（Ｎｏ）、コンテンツ提供部３２は、スタンプ選択画像１４４０を、表示装置４０に表示させる。
【００５１】
ソーシャルモード画像１４００−１が表示されている状態で、カーソルがスタンプ履歴選択キー画像１４１４（例えば、図５を参照）に合わされ、決定ボタンが押下された場合、コンテンツ提供部３２は、アイコン画像が未選択であるか否かを判定する。アイコン画像が未選択である場合（Ｙｅｓ）、コンテンツ提供部３２は、アイコン選択画像１４１０−３を、表示装置４０に表示させる。一方、アイコン画像が未選択でない場合（Ｎｏ）、コンテンツ提供部３２は、スタンプ履歴選択画像１４５０を、表示装置４０に表示させる。
【００５２】
アイコン選択画像１４１０−１が表示されている状態で、カーソルがアイコン選択領域１４１２のアイコン画像（例えば、図６を参照）に合わされ、決定ボタンが押下された場合、コンテンツ提供部３２は、ソーシャルモード画像１４００−２を、表示装置４０に表示させる。一方、アイコン選択画像１４１０−１が表示されている状態で、カーソルがアイコン選択キー画像１４１１（例えば、図６を参照）に合わされ、決定ボタンが押下された場合、コンテンツ提供部３２は、ソーシャルモード画像１４００−１を、表示装置４０に表示させる。
【００５３】
アイコン選択画像１４１０−２が表示されている状態で、カーソルがアイコン選択領域１４１２のアイコン画像（例えば、図６を参照）に合わされ、決定ボタンが押下された場合、コンテンツ提供部３２は、スタンプ選択画像１４４０を、表示装置４０に表示させる。一方、アイコン選択画像１４１０−２が表示されている状態で、カーソルがアイコン選択キー画像１４１１（例えば、図６を参照）に合わされ、決定ボタンが押下された場合、コンテンツ提供部３２は、ソーシャルモード画像１４００−１を、表示装置４０に表示させる。
【００５４】
アイコン選択画像１４１０−３が表示されている状態で、カーソルがアイコン選択領域１４１２のアイコン画像（例えば、図６を参照）に合わされ、決定ボタンが押下された場合、コンテンツ提供部３２は、スタンプ履歴選択画像１４５０を、表示装置４０に表示させる。一方、アイコン選択画像１４１０−３が表示されている状態で、カーソルがアイコン選択キー画像１４１１（例えば、図６を参照）に合わされ、決定ボタンが押下された場合、コンテンツ提供部３２は、ソーシャルモード画像１４００−１を、表示装置４０に表示させる。
【００５５】
スタンプ選択画像１４４０が表示されている状態で、カーソルがスタンプ選択領域に表示されたスタンプ画像に合わされ、決定ボタンが押下された場合、コンテンツ提供部３２は、ソーシャルモード画像１４００−２を、表示装置４０に表示させる。一方、スタンプ選択画像１４４０が表示されている状態で、カーソルがスタンプ選択キー画像１４１３（例えば、図５を参照）に合わされ、決定ボタンが押下された場合、コンテンツ提供部３２は、ソーシャルモード画像１４００−１を、表示装置４０に表示させる。
【００５６】
スタンプ履歴選択画像１４５０が表示されている状態で、カーソルがスタンプ選択領域に選択履歴として表示されたスタンプ画像に合わされ、決定ボタンが押下された場合、コンテンツ提供部３２は、ソーシャルモード画像１４００−２を、表示装置４０に表示させる。一方、スタンプ履歴選択画像１４５０が表示されている状態で、カーソルがスタンプ履歴選択キー画像１４１４（例えば、図５を参照）に合わされ、決定ボタンが押下された場合、コンテンツ提供部３２は、ソーシャルモード画像１４００−１を、表示装置４０に表示させる。
【００５７】
次に、図１に戻り、コンテンツサーバ装置２００の構成例について説明する。
コンテンツサーバ装置２００は、受信部２１０と、記憶部２２０と、提供部２３０とを備える。
【００５８】
受信部２１０は、操作入力に応じた情報を、操作装置１０の通信部１２から、コンテンツ提供装置３０、中継装置２０、及び通信回線４００を介して受信する。操作入力に応じた情報は、選択を示す信号でもよい。選択を示す信号には、例えば、候補からの選択を示す信号がある。候補からの選択を示す信号は、複数のスタンプ画像（候補）からユーザが選択したスタンプ画像を示す信号でもよい。また、選択を示す信号には、例えば、履歴情報に基づく選択を示す信号がある。履歴情報に基づく選択を示す信号は、コンテンツ提供装置３０のユーザが履歴情報から再選択したスタンプ画像を示す信号でもよい。
【００５９】
記憶部２２０は、所定の情報を記憶する。当該所定の情報は、例えば、スタンプ画像情報、アイコン画像情報、キー画像情報、作品紹介画像情報、ポップアップ画像情報、コンテクストメニュー情報、アイコン選択画像情報、スタンプ選択画像情報、スタンプ履歴選択情報、テキスト情報、及び、プログラム情報である。また、記憶部２２０は、コンテンツ（例えば、動画コンテンツ、音楽コンテンツ）の内容を示す情報を記憶する。また、記憶部２２０は、コンテンツ提供装置３０を示す識別情報、及び、電子機器３００を示す識別情報などの装置（機器）識別情報を記憶してもよい。記憶部２２０は、提供部２３０から要求された当該所定の情報を、提供部２３０に出力する。
【００６０】
記憶部２２０は、候補からの選択を示す信号に基づいて、候補からの選択の履歴を含む履歴情報を記憶する。ここで、記憶部２２０は、テーブルデータ形式により、履歴情報を記憶してもよい。例えば、履歴情報では、予め定められた候補（例えば、複数の画像）から選択した情報（例えば、スタンプ画像）を示す識別情報と、当該画像の選択時刻（投稿時刻、投稿順）を示す情報とが、対応付けられていてもよい。
【００６１】
記憶部２２０は、履歴情報に基づく選択を示す信号に基づいて、履歴情報に基づく選択の履歴を、履歴情報に含めて記憶してもよい。ここで、記憶部２２０は、テーブルデータ形式により、履歴情報を記憶してもよい。例えば、履歴情報では、履歴情報（例えば、以前に投稿したスタンプ画像の一覧）から選択した情報（例えば、スタンプ画像）を示す識別情報と、当該画像の選択時刻（投稿時刻、投稿順）を示す情報とが、対応付けられていてもよい。
【００６２】
提供部２３０は、コンテンツを示す情報と、アイコン画像情報と、スタンプ画像情報と、コメント画像情報とを、コンテンツ提供装置３０に提供する。より具体的には、提供部２３０は、コンテンツ提供装置３０を介して送信要求されたコンテンツを示す情報と、コンテンツ提供装置３０を介して選択されたアイコン画像情報と、投稿されたスタンプを示す識別情報に基づくスタンプ画像情報と、電子機器３００から投稿されたコメントを示すテキスト情報に基づくコメント画像情報とを、通信回線４００及び中継装置２０を介して、コンテンツ提供装置３０に送信する。
【００６３】
ここで、投稿されたスタンプを示す識別情報に基づくスタンプ画像情報は、コンテンツ提供装置３０から投稿された情報に基づくスタンプ画像情報でもよいし、電子機器３００から投稿された情報に基づくスタンプ画像情報でもよい。
【００６４】
提供部２３０は、候補からの選択の履歴を含む履歴情報を、記憶部２２０から取得する。また、提供部２３０は、候補からの選択の履歴を含む履歴情報を、通信回線４００及び中継装置２０を介して、コンテンツ提供装置３０に送信して提供する。例えば、提供部２３０は、スタンプ履歴選択画像１４５０（例えば、図７を参照）を、コンテンツ提供装置３０に提供する。
【００６５】
また、提供部２３０は、履歴情報に基づく選択を示す信号により定まる情報を、通信回線４００及び中継装置２０を介して、コンテンツ提供装置３０に送信して提供する。例えば、提供部２３０は、スタンプ履歴選択画像１４５０（例えば、図７を参照）からユーザが選択したスタンプ画像情報を、コンテンツ提供装置３０に提供する。
【００６６】
図８には、履歴情報に履歴が無い場合のスタンプ履歴選択画像の例が示されている。ソーシャルモード画像１４００の一形態としてのスタンプ履歴選択画像１４５０には、スタンプ履歴選択キー画像１４１４が表示されている。カーソルがスタンプ履歴選択キー画像１４１４に合わされ、操作装置１０の操作部１１（図１を参照）の決定ボタンがユーザによって押下された場合、スタンプ履歴選択画像１４５０には、スタンプ履歴表示領域１４５１が表示される。スタンプ履歴表示領域１４５１は、提供中のコンテンツに対してユーザが以前に投稿したスタンプ画像の履歴情報（一覧）を表示するための領域である。図８では、ユーザが以前にスタンプ画像を投稿していないため、スタンプ画像の代わりに、文字列「履歴がありません」が、スタンプ履歴選択画像１４５０に表示されている。
【００６７】
図９には、スタンプを選択するためのスタンプ選択画像の例が示されている。ソーシャルモード画像１４００の一形態としてのスタンプ選択画像１４４０には、スタンプ選択キー画像１４１３が表示されている。カーソルがスタンプ選択キー画像１４１３に合わされ、操作装置１０の操作部１１（図１を参照）の決定ボタンがユーザによって押下された場合、スタンプ選択画像１４４０には、スタンプ選択表示領域１４４１が表示される。スタンプ選択表示領域１４４１は、スタンプ画像を選択可能に表示するための領域である。選択されたスタンプ画像は、コンテンツサーバ装置２００に投稿されることになる。図９では、候補としてのスタンプ画像群が、スタンプ選択表示領域１４４１に、３行３列に並んで表示されている。図９では、スタンプ選択表示領域１４４１の最上段の左に表示されたスタンプ画像が、一例として、選択されたとする。
【００６８】
図１０には、履歴情報に履歴が一つある場合のスタンプ履歴選択画像の例が示されている。スタンプ履歴選択画像１４５０には、スタンプ履歴表示領域１４５１が表示される。図１０では、スタンプ選択表示領域１４４１（図９を参照）から選択されたスタンプ画像１４５２が、履歴情報として表示されている。また、図１０では、選択されたスタンプ画像１４５２は、一例として、スタンプ履歴表示領域１４５１の最上段の左に表示されている。
【００６９】
なお、コンテンツ提供装置３０のユーザは、スタンプ履歴表示領域１４５１に表示されているスタンプ画像１４５２を、さらに選択して投稿してもよい。また、コンテンツ提供装置３０のユーザは、スタンプ選択画像１４４０（図９を参照）を表示させて、スタンプ選択表示領域１４４１からスタンプ画像をさらに選択して投稿してもよい。
【００７０】
図１１には、履歴情報に履歴が複数ある場合のスタンプ履歴選択画像の例が示されている。図１１では、スタンプ選択表示領域１４４１（図９を参照）、又は、スタンプ履歴表示領域１４５１（例えば、図１０を参照）から選択されたスタンプ画像１４５２、スタンプ画像１４５３、及び、スタンプ画像１４５５が、履歴情報として、選択順に表示されている。また、図１１では、他のスタンプ選択表示領域（不図示）から選択されたスタンプ画像１４５４も、履歴情報として、選択順に表示されている。
【００７１】
ここで、選択順は、一例として、スタンプ画像１４５２、スタンプ画像１４５３、スタンプ画像１４５４、スタンプ画像１４５５の順であるものとする。図１１では、直近に選択されたスタンプ画像１４５５は、一例として、スタンプ履歴表示領域１４５１の最上段の左に表示されている。選択されたスタンプ画像は、選択順に表示位置がシフトされ、例えば、スタンプ履歴表示領域１４５１の中段左、最上段右、最上段中央、最上段左の順に表示されてもよい。
【００７２】
コンテンツ提供装置３０のユーザは、スタンプ履歴表示領域１４５１に表示されているスタンプ画像１４５２、スタンプ画像１４５３、スタンプ画像１４５４、又は、スタンプ画像１４５５を、さらに選択して投稿してもよい。また、コンテンツ提供装置３０のユーザは、スタンプ選択画像１４４０（図９を参照）を表示させて、スタンプ選択表示領域１４４１からスタンプ画像をさらに選択して投稿してもよい。
【００７３】
次に、コンテンツサーバ装置の動作手順例を説明する。
図１２は、コンテンツサーバ装置の動作手順例を示すフローチャートである。表示装置４０（図１を参照）は、スタンプ選択画像１４４０（例えば、図９を参照）を表示する。ユーザは、操作装置１０の操作部１１を操作することにより、スタンプ選択画像１４４０に表示された複数のスタンプ画像から、スタンプ画像を選択する。
【００７４】
（ステップＳ１）受信部２１０は、操作装置１０が送信した、候補からの選択を示す信号を、コンテンツ提供装置３０、中継装置２０及び通信回線４００を介して受信する。ここで、受信部２１０は、スタンプ選択画像１４４０が提供されている際に、選択を示す信号を受信した場合、その受信した信号を、スタンプ選択画像１４４０に表示された複数のスタンプ画像から選択したスタンプ画像を示す信号、すなわち、候補からの選択を示す信号であると判定してもよい。記憶部２２０は、候補からの選択を示す信号に基づいて、候補からの選択の履歴を含む履歴情報を記憶する。
【００７５】
（ステップＳ２）提供部２３０は、コンテンツを示す情報と、候補からの選択の履歴を含む履歴情報とを、通信回線４００及び中継装置２０を介して、コンテンツ提供装置３０に送信して提供する。ここで、ユーザは、操作装置１０の操作部１１を操作することにより、スタンプ履歴選択キー画像１４１４を押下して、スタンプ履歴選択画像１４５０（例えば、図１０を参照）を表示装置４０に表示させたとする。ユーザは、操作装置１０の操作部１１を操作することにより、スタンプ履歴選択画像１４５０に表示されたスタンプ画像の選択履歴から、スタンプ画像（例えば、スタンプ画像１４５２）を選択する。
【００７６】
（ステップＳ３）受信部２１０は、操作装置１０が送信した、履歴情報に基づく選択を示す信号を、コンテンツ提供装置３０、中継装置２０及び通信回線４００を介して受信する。ここで、受信部２１０は、スタンプ履歴選択画像１４５０が提供されている際に、選択を示す信号を受信した場合、その受信した信号を、スタンプ履歴選択画像１４５０に表示されたスタンプ画像の選択履歴から選択したスタンプ画像を示す信号、すなわち、履歴情報に基づく選択を示す信号であると判定してもよい。記憶部２２０は、履歴情報に基づく選択を示す信号に基づいて、履歴情報に基づく選択の履歴を、履歴情報にさらに含めて記憶してもよい。
【００７７】
提供部２３０は、履歴情報に基づく選択を示す信号により定まる情報（例えば、スタンプ履歴選択画像１４５０に表示された複数のスタンプ画像の履歴から選択したスタンプ画像情報）を、通信回線４００及び中継装置２０を介して、コンテンツ提供装置３０に送信して提供する。表示装置４０は、ソーシャルモード画像１４００（例えば、図５を参照）に定められたタイムライン表示領域に、履歴情報に基づく選択を示す信号により定まる情報（例えば、選択したスタンプ画像１４５２）を表示する。
【００７８】
以上のように、コンテンツサーバ装置２００は、候補からの選択（例えば、スタンプ選択画像１４４０に表示された複数のスタンプ画像からの選択）の履歴を含む履歴情報を記憶する記憶部２２０と、コンテンツ（例えば、動画コンテンツ、音楽コンテンツ）を示す情報と、履歴情報（例えば、スタンプ履歴選択画像１４５０）と、を提供し、提供した履歴情報に基づく選択（例えば、スタンプ履歴選択画像１４５０に表示されたスタンプ画像の選択履歴からの選択）により定まる情報（例えば、スタンプ画像情報）をさらに提供する提供部２３０と、を備える。
【００７９】
コンテンツ提供装置３０は、候補からの選択の履歴を含む履歴情報を記憶する記憶部２２０と、コンテンツを示す情報と、履歴情報と、を提供し、提供した履歴情報に基づく選択により定まる情報をさらに提供する提供部２３０と、を有するコンテンツサーバ装置から、コンテンツを示す情報と、履歴情報と、履歴情報に基づく選択により定まる情報と、を受信する通信部３１と、受信したコンテンツを示す情報と、受信した履歴情報と、履歴情報に基づく選択により定まる情報と、を提供するコンテンツ提供部３２と、を備える。
【００８０】
コンテンツ提供システム６００は、候補からの選択の履歴を含む履歴情報を記憶する記憶部２２０と、コンテンツを示す情報と、履歴情報と、を提供し、提供した履歴情報に基づく選択により定まる情報をさらに提供する提供部２３０と、コンテンツを示す情報と、履歴情報と、履歴情報に基づく選択により定まる情報と、を受信する通信部３１と、受信したコンテンツを示す情報と、受信した履歴情報と、履歴情報に基づく選択により定まる情報と、を提供するコンテンツ提供部３２と、を備える。
【００８１】
コンテンツ提供方法は、コンテンツサーバ装置におけるコンテンツ提供方法であって、提供部２３０が、コンテンツを示す情報と、候補からの選択の履歴を含む履歴情報と、を提供し、提供した履歴情報に基づく選択により定まる情報を提供するステップ、を有する。
【００８２】
コンテンツ提供プログラムは、コンテンツサーバ装置のコンピュータに、コンテンツを示す情報と、候補からの選択の履歴を含む履歴情報と、を提供し、提供した履歴情報に基づく選択により定まる情報をさらに提供する手順、を実行させる。
【００８３】
この構成により、提供部２３０は、コンテンツを示す情報と、候補からの選択の履歴を含む履歴情報と、を提供し、提供した履歴情報に基づく選択により定まる情報をさらに提供する。これにより、コンテンツサーバ装置２００、コンテンツ提供装置３０、コンテンツ提供システム６００、コンテンツ提供方法、及びコンテンツ提供プログラムは、ユーザが簡単に情報を投稿することができる。
【００８４】
つまり、ユーザは、操作装置１０の操作部１１の方向ボタン及び決定ボタンを操作するという簡単な操作入力を介して、コンテンツ提供装置３０を遠隔操作して、複数種類のスタンプ画像群を含むスタンプ画像一覧（例えば、スタンプ履歴選択画像１４５０）から、スタンプ画像を選択して投稿することができる。また、ユーザは、操作装置１０の操作部１１の方向ボタン及び決定ボタンを操作するという簡単な操作入力により、タイムライン表示領域（例えば、図５では、スタンプ画像３０００、スタンプ画像３１００、及びコメント画像４０００が表示されている領域）に情報を投稿し、そのタイムライン表示領域にリアルタイムに情報を反映させることができる。
【００８５】
また、記憶部２２０は、遠隔操作を実行する操作装置を介した操作入力に基づく、候補からの選択を示す信号に基づいて、履歴情報を記憶してもよい。
また、記憶部２２０は、履歴情報に基づく選択の履歴を、履歴情報に含めて記憶してもよい。
また、提供部２３０は、履歴情報に基づく選択により定まる画像情報（例えば、スタンプ画像情報）を提供してもよい。ここで、画像情報は、アイコン画像情報でもよい。
【００８６】
以上、この発明の実施形態について図面を参照して詳述してきたが、具体的な構成はこの実施形態に限られるものではなく、この発明の要旨を逸脱しない範囲の設計等も含まれる。
【００８７】
なお、上記に説明したコンテンツサーバ装置、コンテンツ提供装置、及び、コンテンツ提供システムを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００８８】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００９０】
１０…操作装置、１１…操作部、１２…通信部、１３…制御部、１４…表示部、２０…中継装置、３０…コンテンツ提供装置、３１…通信部、３２…コンテンツ提供部、３３…記憶部、４０…表示装置、１００…宅内、２００…コンテンツサーバ装置、２１０…受信部、２２０…記憶部、２３０…提供部、３００…電子機器、４００…通信回線、５００…中継サーバ装置、６００…コンテンツ提供システム、１０００…作品紹介画像、１１００…ポップアップ画像、１１１０…ソーシャル視聴キー画像、１１２０…通常視聴キー画像、１２００…通常視聴画像、１３００…コンテクストメニュー画像、１３１０…ソーシャルモードキー画像、１４００…ソーシャルモード画像、１４１０…アイコン選択キー画像、１４１１…アイコン選択キー画像、１４１２…アイコン選択領域、１４１３…スタンプ選択キー画像、１４１４…スタンプ履歴選択キー画像、１４１５…吹き出し型スタンプ選択キー画像、１４２０…下キー・フォーカス画像、１４３０…上キー・フォーカス画像、１４４０…スタンプ選択画像、１４４１…スタンプ選択表示領域、１４５０…スタンプ履歴選択画像、１４５１…スタンプ履歴表示領域、１４５２…スタンプ画像、１４５３…スタンプ画像、１４５４…スタンプ画像、１４５５…スタンプ画像、２０００…アイコン画像、２１００…アイコン画像、２２００…アイコン画像、３０００…スタンプ画像、３１００…スタンプ画像、４０００…コメント画像
【図１】
2014206912.tif 000003
【図２】
2014206912.tif 000004
【図３】
2014206912.tif 000005
【図４】
2014206912.tif 000006
【図５】
2014206912.tif 000007
【図６】
2014206912.tif 000008
【図７】
2014206912.tif 000009
【図８】
2014206912.tif 000010
【図９】
2014206912.tif 000011
【図１０】
2014206912.tif 000012
【図１１】
2014206912.tif 000013
【図１２】
2014206912.tif 000014